(57)【要約】      （修正有）【課題】コンクリート２次製品を布設する際、コンクリート２次製品の下側にクサビなど介在物を介入させて設置した場合、コンクリート２次製品の底面と基面との間の空間にモルタルを充填する器具を提供する。【解決手段】ゴム製で円筒形状下部にモルタルの出量を調整および閉鎖できる開閉器３をもつモルタルホッパーと、前記モルタルホッパーの開閉器の反対側面に足の押圧によってモルタルの流出圧力を高める押圧面５と、前記モルタルホッパーの外周を支持し、上端に持ち運びできる取っ手７を形成したフレームとからなるモルタル充填器を使用することである。【選択図】図２
0003143586.tif 000002
【実用新案登録請求の範囲】
【請求項１】
ゴム製で円筒形状をしたモルタルホッパーと、前記モルタルホッパーの下部にモルタルの出量を調整および閉鎖できる開閉器と、前記モルタルホッパーの開閉器と反対側面に足の押圧によってモルタルの流出圧力を高める押圧面と、前記モルタルホッパーの外周を支持し、上端に持ち運びできる取っ手を形成したフレームとからなるモルタル充填器。  
【請求項２】
前記モルタルホッパーにモルタルを入れる際に使用し、椀型の容器に形成され、該容器の凸部側に指を入れる取っ手を形成し、前記モルタルホッパー開口部に入る形に形成され、前記モルタルホッパーに入れたモルタルを上側より押えた状態で、押圧面を足で押圧してモルタルの流出圧を高めるモルタル投入具。
【考案の詳細な説明】
【技術分野】
【０００１】
本考案は、コンクリート２次製品を爪付ジャッキや楔などで設置した場合、コンクリート２次製品の底面と設置面との間の空間に、モルタルを充填する器具に関する。
【背景技術】
【０００２】
従来、Ｕ字溝や道路境界ブロックなどのコンクリート２次製品を設置する施工の際、施工個所にコンクリート２次製品との余裕をみて、３cm程度低く基礎コンクリートを打設するか、あるいは基礎砕石を３cm程度低く敷きならすことにより、基礎を形成する。それから基礎面に敷きモルタルを３cm程度敷きならし、作業者がコンクリート２次製品を置き、モルタルの調整により目視あるいは勘により上下水準を合わせ設置する。
また、Ｕ字溝の底に敷きモルタル打設用の穴があいている場合、楔などで上下水準を合わせ設置した後にその穴から、モルタルを打設して設置完了である。
爪付きジャッキを用いてコンクリート２次製品を設置する場合、ほぼ近接位置まで重機によって運ばれたのち配置の微調整をジャッキによって行い設置して、コンクリート２次製品にモルタル打設用の穴があいている場合は、そこからモルタルを打設し、穴があいてない場合はコンクリート２次製品の外側よりモルタルを打設して設置完了である。
【０００３】
従来技術では、コンクリート２次製品にモルタル打設用の穴があいている場合、そこから打設し、コンクリート２次製品の下側外部にモルタルが出た状態で、コンクリート２次製品の底面と設置面との間のモルタルの充填状況を判断する。
コンクリート２次製品にモルタル打設用の穴が開いていない場合、側面より型枠を当ててモルタルがコンクリート２次製品の下側へ入るようにしてモルタルを入れ、コンクリート２次製品の反対外部にモルタルが出た状態で、モルタルの充填状況を判断する。
【考案の開示】
【考案が解決しようとする課題】
【０００４】
コンクリート２次製品にモルタル打設用の穴が開いていない場合、側面より型枠を当てて、モルタルをコンクリート２次製品の下側へ入るようにしてモルタルを入れる。しかし、モルタルの練り加減で固い場合には、なかなか入らず、柔らかい場合には、流れすぎて、モルタルの量を多く打設しなければならなかった。
【課題を解決するための手段】
【０００５】
ゴム製で円筒形状をしたモルタルホッパーと、前記モルタルホッパーの下部にモルタルの出量を調整および閉鎖できる開閉器と、前記モルタルホッパーの開閉器と反対側面に足の押圧によってモルタルの流出圧力を高める押圧面と、前記モルタルホッパーの外周を支持し、上端に持ち運びできる取っ手を形成したフレームとからなるモルタル充填器および、前記モルタルホッパーにモルタルを入れる際に使用し、椀型の容器に形成され、該容器の凸部側に指を入れる取っ手を形成し、前記モルタルホッパー開口部に入る形に形成され、前記モルタルホッパーに入れたモルタルを上側より押えた状態で、押圧面を足で押圧してモルタルの流出圧を高めるモルタル投入具を使用することである。
【考案の効果】
【０００６】
本考案のモルタル充填器を使用するとコンクリート２次製品の一方の外側よりコンクリート２次製品の底面と基面との間の空間にモルタルが水平方向に流出圧をもって押し出されるので，容易にモルタルを充填できるようになった。また、モルタルの流出圧が高くなったので、固めのモルタルでも打設出来るようになった。
【考案を実施するための最良の形態】
【０００７】
図１は本考案のモルタル充填器１の斜視図である。図２は本考案のモルタル充填器１によるコンクリート２次製品９である道路境界ブロックにモルタル８を充填中の断面側面図である。
この実施例のモルタル充填機１は、一輪車によって運ばれてきたモルタル８をすくい取ってモルタル充填器１に入れるモルタル投入具２、挿入口４よりコンクリート２次製品９の下側に入るモルタル８の量を調整する開閉器３、挿入口４、円筒状の下部側面に足の押圧によってモルタルの流出圧をあげる押圧面５、ゴム状のモルタルホッパーを外部よりささえるフレーム６、モルタル充填器を持ち上げ移動するための取っ手７から成っている。
次に、本実施形態のモルタル充填器１を使用してモルタル８を充填する場合を説明する。たとえば、コンクリート２次製品９である道路境界ブロックをクサビなどで所定の位置に据え付ける。それから、モルタル８の堅さを調整しながら攪拌機などで練り混ぜる。練り混ぜたモルタル８を一輪車などに入れて、充填する場所へ運ぶ。モルタル充填器１を道路境界ブロックの側面に置き、開閉器３を調整しながら挿入口４を道路境界ブロックの下側へ差し込む。
一輪車の中のモルタル８をモルタル投入具２ですくい、モルタル充填器１に入れる。練り加減によって充填の方法が変わるが、柔らかめなモルタルではモルタル充填器１の押圧面５を足で押圧するだけで道路境界ブロックの下側の空間に充填することができるが、固めのモルタル８では、モルタル充填器１に入れられたモルタル８の上面を、モルタル投入具２で押えながら足で押圧面５を押圧すると、固めなモルタルでも道路境界ブロックの下側の空間に充填することができる。
【実施例１】
【０００８】
図３は本考案の実施例１によるモルタル充填器１によるコンクリート2次製品９であるＵ字溝のモルタル充填状況の斜視図である。
モルタル充填器１は狭いスペースでも作業できるように、縦型で細身の形状となっており押圧面５もないものとなっている。
モルタル充填器１をＵ字溝の側面に置き開閉器３を調整しながら挿入口４をＵ字溝の下側へ差し込む。練り混ぜたモルタル８を一輪車で運び、モルタル投入具２を使い、モルタル充填器１にモルタル８を入れる。モルタル投入具２を使って上から押すと、モルタル８の流出圧が高まってＵ字溝の下側の空間にモルタル８が充填される。
【図面の簡単な説明】
【０００９】
【図１】本考案のモルタル充填器１の斜視図である。
【図２】本考案のモルタル充填器１によるコンクリート２次製品９である道路境界ブロックのモルタル充填状況中の断面側面図である。
【図３】本考案の実施例１を示すモルタル充填器１によるコンクリート２次製品９であるＵ字溝のモルタル充填状況の斜視図である。
【符号の説明】
【００１０】
１  モルタル充填器
２  モルタル投入具
３  開閉器
４  挿入口
５  押圧面
６  フレーム
７  取っ手
８  モルタル
９  コンクリート２次製品
１０  基礎
【図１】
0003143586.tif 000003
【図２】
0003143586.tif 000004
【図３】
0003143586.tif 000005
【手続補正書】
【提出日】平成20年5月16日(2008.5.16)
【手続補正１】
【補正対象書類名】実用新案登録請求の範囲
【補正対象項目名】請求項２
【補正方法】変更
【補正の内容】
【請求項２】
請求項１記載のモルタルホッパーにモルタルを入れる際に使用し、椀型の容器に形成され、該容器の凸部側に指を入れる取っ手を形成し、前記モルタルホッパー開口部に入る形に形成され、前記モルタルホッパーに入れたモルタルを上側より押えた状態で、押圧面を足で押圧してモルタルの流出圧を高めるモルタル投入具。